(57)【特許請求の範囲】
【請求項１】
身体に装着される第一電極部及び第二電極部と、
前記第一電極部と前記第二電極部との間の電位差を心電位として取得する電位差取得部と、
身体に装着された前記第一電極部と前記第二電極部とを結ぶ仮想的な線の方向である装着方向を検知する装着方向検知部と、
（１）前記第一電極部及び前記第二電極部が第一装着状態で前記身体に装着された場合において前記電位差取得部によって取得される第一電位差と、
（２）前記第一電極部及び前記第二電極部が第二装着状態で前記身体に装着された場合において前記電位差取得部によって取得される第二電位差と、
（３）前記第一装着状態で前記装着方向検知部によって検知される第一装着方向及び前記第二装着状態で前記装着方向検知部によって検知される第二装着方向、又は、前記第一装着方向と前記第二装着方向とがなす角度とに基づいて、
前記第一電位差及び前記第二電位差のいずれよりも大きな電位差を発生する好適装着方向を算出して出力する装着方向算出部と
を備える心電位計測装置。
【請求項２】
前記装着方向算出部は、前記第一電位差と前記第一装着方向とで特定されるベクトルと、前記第二電位差と前記第二装着方向とで特定されるベクトルとから、最大電位勾配を生じる方向を算出し、当該方向を前記好適装着方向として算出する
請求項１記載の心電位計測装置。
【請求項３】
さらに、前記装着方向算出部で出力された前記好適装着方向を提示する提示部を備える
請求項１記載の心電位計測装置。
【請求項４】
前記心電位計測装置はさらに、前記第一装着状態における前記第一電極部の位置と前記第二装着状態における前記第一電極部の位置との距離が予め定められた範囲内であるか否かを判定する装着位置確認部を備え、
前記装着方向算出部は、前記装着位置確認部によって前記第一装着状態における前記第一電極部の位置と前記第二装着状態における前記第一電極部の位置との距離が予め定められた範囲内であると判定された場合に、前記好適装着方向を算出して出力する
請求項１記載の心電位計測装置。
【請求項５】
さらに、
前記第一電極部及び前記第二電極部の少なくとも一方を有する板体と、
前記身体に身に着けられた衣服に係止される係止片と、
前記板体と前記係止片との間に位置し、かつ、前記板体を前記板体の面内で回動可能に保持する支柱とを備える
請求項１記載の心電位計測装置。
【請求項６】
前記板体は、前記第一電極部及び前記第二電極部を有し、
前記板体を平面視したときに、前記第一電極部と前記第二電極部とが一定の距離だけ離れて位置する
請求項５記載の心電位計測装置。
【請求項７】
前記板体は、前記第一電極部、前記第二電極部、および前記身体に装着される第三電極部を有し、
前記第一電極部、前記第二電極部及び前記第三電極部は、前記第一電極部と前記第二電極部とを結ぶ仮想的な線の方向と前記第一電極部の位置と前記第三電極部とを結ぶ仮想的な線の方向とが直交するように、前記板体に位置する
請求項６記載の心電位計測装置。
【請求項８】
身体に装着される第一電極部及び第二電極部と、
前記第一電極部及び前記第二電極部の少なくとも一方を有する板体と、
前記身体に身に着けられた衣服に係止される係止片と、
前記板体と前記係止片との間に位置し、かつ、前記板体を前記板体の面内で回動可能に保持する支柱と
を備える心電位計測装置。
【請求項９】
前記板体は、前記第一電極部及び前記第二電極部を有し、
前記板体を平面視したときに、前記第一電極部と前記第二電極部とが一定の距離だけ離れて位置する
請求項８記載の心電位計測装置。
【請求項１０】
前記板体は、前記第一電極部、前記第二電極部、および前記身体に装着される第三電極部を有し、
前記第一電極部、前記第二電極部及び前記第三電極部は、前記第一電極部と前記第二電極部とを結ぶ仮想的な線の方向と前記第一電極部と前記第三電極部とを結ぶ仮想的な線の方向とが直交するように、前記板体に保持されている
請求項９記載の心電位計測装置。
【請求項１１】
第一装着状態で身体に装着される第一電極部及び第二電極部を用いて、電位差取得部によって前記第一電極部と前記第二電極部との間の第一電位差を心電位として取得する第一ステップと、
第二装着状態で身体に装着される前記第一電極部及び前記第二電極部を用いて、前記電位差取得部によって前記第一電極部と前記第二電極部との間の第二電位差を心電位として取得する第二ステップと、
身体に装着された前記第一電極部と前記第二電極部とを結ぶ仮想的な線の方向を装着方向としたときに、前記第一装着状態で装着方向検知部によって検知される第一装着方向及び前記第二装着状態で前記装着方向検知部によって検知される第二装着方向、又は、前記第一装着方向と前記第二装着方向とがなす角度を検知する第三ステップと、
前記第一ステップで取得された前記第一電位差、前記第二ステップで取得された前記第二電位差、及び、前記第三ステップで検知された前記第一装着方向及び前記第二装着方向、又は、前記角度に基づいて、前記第一電位差及び前記第二電位差のいずれよりも大きな電位差を発生する好適装着方向を算出して出力する第四ステップと
を含む心電位計測方法。
【発明の詳細な説明】
【技術分野】
【０００１】
本開示は、心電位を計測する装置に関し、特に、少なくとも２つの電極部を用いて心電位を計測する装置に関する。
【背景技術】
【０００２】
特許文献１に開示の心電位計測装置は、電極の配置が正しいか否かを判定する。治療又は診断で利用される心電位計測装置では、ユーザの身体表面上に電極を正確に配置される必要がある。例えば、両手及び両足に電極を取り付ける四肢誘導、又は、四肢誘導と胸部の所定の位置に電極を取り付ける胸部誘導とを組み合わせて１２種の波形を誘導する標準１２誘導法などで用いられる標準的な位置に電極が配置される。特許文献１に開示の心電位計測装置は、複数の電極が、標準的な位置に設置されているか否かを判定する。具体的には、複数の電極から得られる電位を用いて、各電極で計測される電位のベクトルを共分散行列として算出し、固有値行列を求める。得られた固有値行列に含まれる固有値と、あらかじめ蓄積された正しい電極配置における値とを比較し、電極が正しく配置されたか否かを判定される。
【先行技術文献】
【特許文献】
【０００３】
【特許文献１】特許第４７３３２６２号公報
【特許文献２】特開２００５−２８７８４９号公報
【発明の概要】
【発明が解決しようとする課題】
【０００４】
しかしながら、特許文献１に開示される従来技術は、四肢誘導法又は標準１２誘導法で定められた標準的な位置に、電極が正しく装着されているか否の判定であり、標準的な位置以外の位置に電極を装着されることは考慮していない。四肢誘導法又は標準１２誘導法では、両手首、足、及び、胸部を含む身体の広範囲に、電極を配置する必要がある。そのため、心電位計測の専門家ではない一般ユーザは、日常生活をしている時に、簡易に心電位を計測することが難しい。
【０００５】
なお、心電波形を正確に検出する技術として、電極を装着しない部分に誘導される心電波形を検出する技術も提案されている（例えば、特許文献２参照）。しかしながら、この特許文献２の技術も、上述の標準的な位置に配置される電極により、心電位を計測しており、一般ユーザが日常生活をしている時に、簡易に心電位を計測することは考慮されていない。
【０００６】
本開示の一形態に係る心電位計測装置は、ユーザが日常生活をしている時に、簡易に心電位を計測できる。
【課題を解決するための手段】
【０００７】
上記目的を達成するために、本開示の一形態に係る心電位計測装置は、身体に装着される第一電極部及び第二電極部と、前記第一電極部と前記第二電極部との間の電位差を心電位として取得する電位差取得部と、身体に装着された前記第一電極部と前記第二電極部とを結ぶ仮想的な線の方向である装着方向を検知する装着方向検知部と、（１）前記第一電極部及び前記第二電極部が第一装着状態で前記身体に装着された場合において前記電位差取得部によって取得される第一電位差と、（２）前記第一電極部及び前記第二電極部が第二装着状態で前記身体に装着された場合において前記電位差取得部によって取得される第二電位差と、（３）前記第一装着状態で前記装着方向検知部によって検知される第一装着方向及び前記第二装着状態で前記装着方向検知部によって検知される第二装着方向、又は、前記第一装着方向と前記第二装着方向とがなす角度とに基づいて、前記第一電位差及び前記第二電位差のいずれよりも大きな電位差を発生する好適装着方向を算出して出力する装着方向算出部とを備える。
【０００８】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本開示の一形態に係る心電位計測装置は、ユーザが日常生活をしている時に、簡易に心電位を計測できる。
【図面の簡単な説明】
【００１０】
【図１】実施の形態１における心電位計測システムの構成を示すブロック図である。
【図２】実施の形態１における心電位計測システムの外観図である。
【図３】人間の電位分布を示す図である。
【図４】実施の形態１における心電位計測装置の装着状態と計測される電位差を示す図である。
【図５】実施の形態１における端末装置での提示例（第一装着状態を促す提示例）を示す図である。
【図６】第一装着状態での電位差の計測を説明する図である。
【図７】実施の形態１における端末装置での提示例（第二装着状態を促す提示例）を示す図である。
【図８】第二装着状態での電位差の計測を説明する図である。
【図９】実施の形態１における蓄積部に蓄積された情報の例を示す図である。
【図１０Ａ】実施の形態１における好適装着方向の算出例を説明する図である。
【図１０Ｂ】実施の形態１における好適装着方向の他の算出例を説明する図である。
【図１１】実施の形態１における好適装着方向の提示例を示す図である。
【図１２】実施の形態１における心電位計測システムの動作を示すフローチャートである。
【図１３】図１２におけるステップＳ１０７（好適装着方向の算出）の詳細な手順を示すフローチャートである。
【図１４】実施の形態２における心電位計測システムの構成を示すブロック図である。
【図１５】実施の形態２における装着方向確認部の動作を示すフローチャートである。
【図１６】実施の形態２における蓄積部に蓄積された情報の例を示す図である。
【図１７】好適装着方向が提示されてから、心電位計測装置を回転させて装着するまでの電位差及び加速度の時間変化を示す図である。
【図１８】実施の形態２における装着方向確認部による提示の一例を示す図である。
【図１９】実施の形態２における装着方向確認部による提示の他の一例を示す図である。
【図２０】実施の形態における心電位計測システムの構成を示すブロック図である。
【図２１】実施の形態３における装着位置確認部の動作を示すフローチャートである。
【図２２】実施の形態３における装着位置確認部による具体的な処理を説明する図である。
【図２３】第一電極部の第一装着状態での位置と第二装着状態での位置とが所定範囲外となる例を説明する図である。
【図２４】第一電極位置と第二電極位置とが大きくずれているケースにおける提示例を示す図である。
【図２５】提示部を備える心電位計測装置の構成を示すブロック図である。
【図２６Ａ】提示部を備える心電位計測装置の外観の一例を示す図である。
【図２６Ｂ】提示部を備える心電位計測装置を具現化した回路モジュールの一例を示す図である。
【図２６Ｃ】提示部を備える心電位計測装置の使用例を示す図である。
【図２７】提示部を備える心電位計測装置の装着の一例を示す図である。
【図２８Ａ】クリップ型の心電位計測装置の外観図である。
【図２８Ｂ】クリップ型の心電位計測装置の使用例を示す図である。
【図２９】クリップ型の第一電極部とパッチ型の第二電極部を備える心電位計測装置の外観図である。
【図３０】クリップ型の第一電極部及びクリップ型の第二電極部を備える心電位計測装置の外観図である。
【図３１】３個の電極を備える心電位計測装置の外観図である。
【発明を実施するための形態】
【００１１】
本開示の一形態に係る心電位計測装置は、身体に装着される第一電極部及び第二電極部と、前記第一電極部と前記第二電極部との間の電位差を心電位として取得する電位差取得部と、身体に装着された前記第一電極部と前記第二電極部とを結ぶ仮想的な線の方向である装着方向を検知する装着方向検知部と、（１）前記第一電極部及び前記第二電極部が第一装着状態で前記身体に装着された場合において前記電位差取得部によって取得される第一電位差と、（２）前記第一電極部及び前記第二電極部が第二装着状態で前記身体に装着された場合において前記電位差取得部によって取得される第二電位差と、（３）前記第一装着状態で前記装着方向検知部によって検知される第一装着方向及び前記第二装着状態で前記装着方向検知部によって検知される第二装着方向、又は、前記第一装着方向と前記第二装着方向とがなす角度とに基づいて、前記第一電位差及び前記第二電位差のいずれよりも大きな電位差を発生する好適装着方向を算出して出力する装着方向算出部とを備える。
【００１２】
これにより、（１）第一電位差と、（２）第二電位差と、（３）第一装着方向及び第二装着方向、又は、それらの角度とに基づいて、第一電位差及び第二電位差のいずれよりも大きな電位差を発生する好適装着方向が算出されて出力される。よって、心電位計測の専門家ではない一般ユーザであっても、２つの装着状態で第一電極部及び第二電極部を装着することで、より好適な装着方向を知ることができ、一般ユーザが日常生活を営みながら簡易に心電位を計測することが可能になる。
【００１３】
ここで、前記装着方向算出部は、前記第一電位差と前記第一装着方向とで特定されるベクトルと、前記第二電位差と前記第二装着方向とで特定されるベクトルとから、最大電位勾配を生じる方向を算出し、当該方向を前記好適装着方向として算出してもよい。
【００１４】
これにより、第一装着状態で得られたベクトルと第二装着状態で得られたベクトルとに基づいて最大電位勾配を生じる好適装着方向が算出されるので、確実に、大きな電位差を発生する装着方向が好適装着方向として算出される。
【００１５】
また、さらに、前記装着方向算出部で出力された前記好適装着方向を提示する提示部を備えてもよい。
【００１６】
これにより、好適装着方向が提示部によって提示されるので、ユーザは、目で好適装着方向を知ることができる。
【００１７】
また、前記装着方向算出部は、（１）前記第一電位差と、（２）前記第二電位差と、（３）前記第一装着方向及び前記第二装着方向、又は、前記角度とに基づいて、最大電位勾配を生じる方向を前記好適装着方向として算出することに加えて、前記好適装着方向での電位差も算出し、前記心電位計測装置はさらに、前記電位差取得部で取得される電位差と前記好適装着方向での電位差とを比較し、その比較結果に基づいて、前記提示部により、前記好適装着方向に装着し直すことを促す画像を提示する装着方向確認部を備えてもよい。
【００１８】
これにより、計測される電位差と既知の好適装着方向での電位差との差が大きいなどの場合に、提示部を介して好適装着方向に装着し直すことが促されるので、不適切な装着方向によって精度の低い心電位計測が行われてしまうことが回避される。
【００１９】
また、前記心電位計測装置はさらに、前記第一装着状態における前記第一電極部の位置と前記第二装着状態における前記第一電極部の位置との距離が予め定められた範囲内であるか否かを判定する装着位置確認部を備え、前記装着方向算出部は、前記装着位置確認部によって前記第一装着状態における前記第一電極部の位置と前記第二装着状態における前記第一電極部の位置との距離が予め定められた範囲内であると判定された場合に、前記好適装着方向を算出して出力してもよい。
【００２０】
これにより、例えば、基準電極となる第一電極部の位置が第一装着状態と第二装着状態とで大きくずれていない場合にだけ好適装着方向が算出されるので、精度の低い好適装着方向が提示されるという不具合が回避される。
【００２１】
また、さらに、前記第一電極部及び前記第二電極部の少なくとも一方を有する板体と、前記身体又は前記身体に身に着けられた衣服に係止される係止片と、前記板体と前記係止片との間に位置し、かつ、前記板体を前記板体の面内で回動可能に保持する支柱とを備えてもよい。
【００２２】
これにより、心電位計測装置は板体、係止片及び支柱で構成されるクリップ構造を有し、電極部が保持された板体が回動するので、ユーザは、係止片と板体とで衣服などを挟むことで心電位計測装置を身体上の所望の位置に保持させ、任意の方向で心電位を計測できる。
【００２３】
また、前記板体は、前記第一電極部及び前記第二電極部を有し、前記板体を平面視したときに前記第一電極部と前記第二電極部とが一定の距離だけ離れて位置してもよい。
【００２４】
これにより、板体には、２つの電極部（第一電極部及び第二電極部）が保持されているので、ユーザは、板体を回転させるだけで、簡単に装着方向を変更できる。
【００２５】
また、前記板体は、前記第一電極部、前記第二電極部、および前記身体に装着される第三電極部を有し、前記第一電極部、前記第二電極部及び前記第三電極部は、前記第一電極部と前記第二電極部とを結ぶ仮想的な線の方向と前記第一電極部の位置と前記第三電極部とを結ぶ仮想的な線の方向とが直交するように、前記板体に位置してもよい。
【００２６】
これにより、３つの電極部（第一電極部、第二電極部及び第三電極部）により、直交する２つの装着方向のそれぞれでの電位差が計測されるので、板体を身体に装着する作業を一回行うだけで、高い精度で好適装着方向が算出される。
【００２７】
また、上記目的を達成するために、本開示の一形態に係る心電位計測装置は、身体に装着される第一電極部及び第二電極部と、前記第一電極部及び前記第二電極部の少なくとも一方を有する板体と、前記身体に係止される係止片と、前記板体と前記係止片との間に位置し、かつ、前記板体を前記板体の面内で回動可能に保持する支柱とを備える。
【００２８】
これにより、心電位計測装置は板体、係止片及び支柱で構成されるクリップ構造を有し、電極部が保持された板体が回動するので、ユーザは、係止片と板体とで衣服などを挟むことで心電位計測装置を身体上の所望の位置に保持させ、任意の方向で心電位を計測できる。
【００２９】
なお、これらの全般的又は具体的な態様は、システム、方法、集積回路、コンピュータプログラム又はコンピュータ読み取り可能なＣＤ−ＲＯＭなどの記録媒体で実現されてもよい。
【００３０】
以下、本開示の心電位計測装置、心電位計測方法、及びそのプログラムの実施の形態について、図面を参照しながら説明する。
【００３１】
（実施の形態１）
図１は、本開示の実施の形態１における心電位計測システムの構成を示すブロック図である。心電位計測システムは、心電位を計測して提示するシステムであり、心電位計測装置１１０ａと、端末装置１１１とを備える。
【００３２】
図１に示す心電位計測装置１１０ａは、心電位を計測すること、及び、電極の装着方向について好ましい装着方向（好適装着方向）を算出することを行う装置であり、第一電極部１０１と、第二電極部１０２と、装着方向検知部１０３と、電位差取得部１０４と、蓄積部１０５と、装着方向算出部１０６と、送信部１０７とを備える。
【００３３】
端末装置１１１は、心電位計測装置１１０ａで計測された心電位を含む各種情報を提示する端末であり、心電位計測装置１１０ａから送信された情報を受信する受信部１０８と、受信した情報を提示する提示部１０９とを備える。例えば、端末装置１１１は、スマートフォン、パーソナルコンピュータ（ＰＣ）、又は、本心電位計測システムに専用の受信端末などである。
【００３４】
まず、心電位計測装置１１０ａの各構成要素について説明する。
【００３５】
＜第一電極部１０１及び第二電極部１０２＞
第一電極部１０１は、ユーザに装着される一対の電極の一方を含むセンサ部である。第二電極部１０２は、ユーザに装着される一対の電極の他方を含むセンサ部である。
【００３６】
例えば、第一電極部１０１及び第二電極部１０２は、塩化銀などの材料で構成される電極を含む。なお、第一電極部１０１及び第二電極部１０２は、さらにアンプ回路を有し、電極からの信号を伝達するリード線等で発生するノイズを抑制するアクティブ型電極であってもよい。アクティブ型電極により、ペーストなしで心電位の計測が可能となる。
【００３７】
＜電位差取得部１０４＞
電位差取得部１０４は、第一電極部１０１と第二電極部１０２との間の電位差を心電位として取得する処理部である。例えば、電位差取得部１０４は、第一電極部１０１及び第二電極部１０２と電気的に接続され、第一電極部１０１と第二電極部１０２との間の電位差（心電位）を計測する回路である。なお、電位差取得部１０４は、第一電極部１０１と第二電極部１０２との間の電位差を計測する計測回路と接続され、計測回路から電位差を取得する処理部であってもよい。
【００３８】
なお、生体の電位を計測する場合、ノイズ又はドリフト現象が生じるため、ハイパスフィルタ又はローパスフィルタなどの信号処理を行うのが一般的であり、本実施の形態では、これらの信号処理を電位差取得部１０４が行うこととする。また、心電などを計測する場合、電位からピークを抽出し、心拍数を求める処理などを電位差取得部１０４が行うこととしてもよい。
【００３９】
なお、本実施の形態では、心電位計測装置１１０ａは、２つの電極（第一電極部１０１及び第二電極部１０２）を備える。心電位計測装置１１０ａは、３つ以上の電極部を有してもよい。また、一般に、生体電位を計測する装置は、電位の安定を確保するため、アース電位を取得する電極部を有している。本実施の形態でも、第一電極部１０１及び第二電極部１０２のうちのいずれか一つをアースと接続し、そこをアースと電位計測の基準点とを兼ねた箇所とし、そこでの電位と他方の電極部での電位との差を計測することで、その間の電位差を計測してもよい。本実施の形態では、第一電極部１０１を計測の基準点（グランド）として、以後説明を行う。
【００４０】
図２は、本実施の形態における心電位計測システムの外観（構造）図である。本実施の形態では、図２の（ａ）に示されるように、電位差取得部１０４は、第一電極部１０１及び第二電極部１０２とリード線で繋がれる。そして、処理基板１１２上に、装着方向検知部１０３、電位差取得部１０４、蓄積部１０５及び装着方向算出部１０６（以上の構成要素１０３〜１０６は、例えばマイコンで実現される）、及び、送信部１０７（例えば、Ｂｌｕｅｔｏｏｔｈ（登録商標）用の通信モジュールで実現される）が実装され、本実施の形態の心電位計測装置１１０ａが回路モジュールとして実現されているものとする。
【００４１】
図２の（ｂ）は、図２の（ａ）に示される回路モジュールを用いた絆創膏型（パッチ型）の心電位計測装置１１０ａの一例を示す図である。心電位計測装置１１０ａが身体に貼り付け可能なパッド上に形成されており、絆創膏を身体に貼り付けるようにして、心電位計測装置１１０ａを身体に装着できる。処理基板１１２の近傍に第一電極部１０１が配置されており、所定の距離を離して第二電極部１０２が配置されている。このパッチ型の心電位計測装置１１０ａを身体の所定の位置に装着し、電位を計測する。計測された電位はＢｌｕｅｔｏｏｔｈ（登録商標）などの通信回線を介して、図２の（ｃ）に示されるようなスマートフォンなどの端末装置１１１へと送信され、端末装置１１１の提示部１０９に表示される。
【００４２】
図３は、正面から見たときの人間の心臓の活動とともに生じる電位分布を示す図である。図３に示すように、心臓は、身体の胸部の中央よりやや左側に位置し、先端部（心尖部）を下にして横に傾いた状態で位置している。
【００４３】
心臓は、細胞の電位変化（脱分極と再分極）によって収縮と弛緩の繰り返し運動を行う。心電図は、この電位変化によって身体表面上に生じた電位分布を、所定の位置及び角度から投影的に計測した結果を示す図である。心房又は心室の収縮又は弛緩によって電位分布は、時系列的に変化し、心電図としてはＰ波、ＱＲＳ波（Ｒ波）、Ｔ波となって生じる。本実施の形態では、以下、心室の興奮時（Ｒ波）を取り扱って説明を行う。この理由は、心室の興奮に伴う電位が心電位の中で最も大きく、また、心拍数の計測など、臨床的にも、また日常生活での健康又は病気の状態を計測するためにも、重要な要素であるからである。
【００４４】
図３における点線は、Ｒ波時の身体表面上に生じる電位分布の一例を示している。心臓の位置と傾き、及び、心室興奮時の電位の分極によって、身体表面に所定の電位分布が生じている。この電位分布は、心臓の位置及び向き、さらには、身体の皮膚及び脂肪等などの組成成分に依存するため、ユーザごとに異なる。
【００４５】
図４は、本実施の形態における心電位計測装置１１０ａの装着状態（装着位置及び装着方向）と、計測される電位差を示す図である。図４では、身体の表面上にパッチ型の心電位計測装置１１０ａの装着例として、４箇所（心臓近辺（図４の（ａ））、首元（図４の（ｂ））、右腰（図４の（ｃ））、左腰（図４の（ｄ）））での装着例が図示されている。装着された位置での第一電極部１０１と第二電極部１０２との間の電位差が心電位として計測される。図４に示すように、電位分布による電位勾配（つまり電位差）は、心電位計測装置１１０ａを装着する位置（装着位置）及び方向（装着方向）によって異なる。装着位置については、心臓に近いほど電位差は大きく、離れるほど小さくなる。また同じ装着位置であっても、装着方向によって勾配が変わり、すなわち電位差も異なることになる。
【００４６】
なお、装着方向、あるいは、心電位計測装置１１０ａの装着方向とは、第一電極部１０１と第二電極部１０２とを結ぶ仮想的な線の方向であり、より詳しくは、第一電極部１０１に含まれる電極と第二電極部１０２に含まれる電極とを結ぶ仮想的な線の方向である。ここで、仮想的な線が直線の場合、線の方向は、線と平行な方向であり、正負の方向を含む。仮想的な線が曲線の場合、線の方向は、第一の電極部１０１及び第二の電極部１０２の間における所定の位置における線の傾き、又は傾きを示す線の方向である。傾きを示す線の方向は、正負の方向を含む。なお、仮想的な線は、第一の電極部１０１及び第二の電極部１０２の位置に関わらず、第一の電極部１０１（又は第二の電極部１０２）を基準とする線の形が同じである。また、仮想的な線は、第一電極部１０１に含まれる電極の中心と第二電極部１０２に含まれる電極の中心とを結ぶ線だけでなく、第一電極部１０１に含まれる電極のいずれかの位置と第二電極部１０２に含まれる電極のいずれかの位置とを結ぶ線を含む。なお、装着方向、あるいは、心電位計測装置１１０ａの装着方向は、単に、第一電極部１０１と第二電極部１０２とが並ぶ方向であってもよい。
【００４７】
特に日常的に簡易に計測する場合、胸部近辺に装着するのは煩雑な場合がある。首元又は腰元に簡易に装着できれば、日常的に簡易に一般ユーザが使用でき、健康について安心できる生活を支援することが可能となる。しかしながら、首元及び腰元などは、心臓から離れているため、電位差が小さく、電極からの信号がノイズに埋もれてしまう場合がある。
【００４８】
本実施の形態では、特に心臓から離れた装着場所であっても、当該場所における心電位計測装置１１０ａの好適な装着方向を算出し、これによって、不可能であった心電位の計測を可能にする、あるいは、より精度の高い心電位の計測を可能にする手法を説明する。
【００４９】
＜装着方向検知部１０３＞
装着方向検知部１０３は、心電位計測装置１１０ａの装着方向（より厳密には、第一電極部１０１と第二電極部１０２とを結ぶ仮想的な線の方向）を検知する処理部である。例えば、装着方向検知部１０３は、加速度センサ、ジャイロ、及び、高度センサなどの少なくとも一つで構成される。
【００５０】
図５は、心電位を計測する場合における端末装置１１１での提示例（ここでは、第一装着状態を促す提示例）を示す図である。図５では、スマートフォンなどの端末装置１１１の提示部１０９に「横向きに当てて計測して下さい」とのメッセージ（画像）が表示されている。ここで、横向きとは、水平方向を意味する。ユーザは、この表示に従って、第一装着状態（本例では横向き）で心電位計測装置１１０ａを身体に装着し、電位差を計測する。また、第一装着状態とは、任意の装着方向で第一電極部１０１と第二電極部１０２とが並ぶように身体に装着された状態であり、図５に示されるように、提示部１０９に表示されるメッセージに従って心電位計測装置１１０ａが装着される場合を含む。
【００５１】
図６は、第一装着状態での電位差の計測を説明する図である。図６の（ａ）〜（ｆ）は、それぞれ、心電位計測装置１１０ａの装着状態（第一装着状態）、電位差取得部１０４で取得される電位差、装着方向検知部１０３によって検知される加速度の方向、検知されるＸ軸の加速度、Ｙ軸の加速度、Ｚ軸の加速度を示す。図６の（ａ）に示されるように、腰元であって、心電位計測装置１１０ａが横向き（水平）に装着されている。電位差として心臓の活動に伴い、心電位が計測され、心電図（図６の（ｂ））として示されている。図６の（ｂ）に示されるように、電位差はＲ波のピーク時に８５μＶと計測されている。なお、ピーク検出については、相関法、又は、ゼロクロス法など、一般的な手法が知られており、本実施の形態においてもこれらの一般的な手法を用いることとする。
【００５２】
装着方向検知部１０３は、このような第一装着状態における心電位計測装置１１０ａの装着方向を検知する。装着方向検知部１０３は、図６の（ｃ）に示される３軸方向の加速度を検知する加速度センサである。図６の（ｄ）〜（ｆ）に示されるように、装着方向検知部１０３は、加速度センサとして、Ｘ軸方向に０Ｇ、Ｙ軸方向に０Ｇ、Ｚ軸方向に−１Ｇを示す。このような加速度の検知結果と、重力が鉛直方向であることとに基づいて、第一装着状態では、重力方向に対し直交するように心電位計測装置１１０ａが装着され、心電位が計測されていると検知できる。
【００５３】
図７は、心電位を計測する場合における端末装置１１１での提示例（ここでは、第二装着状態を促す提示例）を示す図である。図７では、スマートフォンなどの端末装置１１１の提示部１０９に「第一電極部を中心に９０度回転し、縦向きに当てて計測して下さい」とのメッセージが表示されている。ここで、縦向きとは、鉛直方向を意味する。ユーザは、この表示に従って、第二装着状態（本例では縦向き）で心電位計測装置１１０ａを身体に装着し、電位差を計測する。また、第二装着状態とは、第一装着状態とは異なる任意の装着方向で第一電極部１０１と第二電極部１０２とが並ぶように身体に装着された状態であり、図７に示されるように、提示部１０９に表示されるメッセージに従って心電位計測装置１１０ａが装着される場合を含む。
【００５４】
例えば、第一装着状態における第一電極部１０１と第二電極部１０２との中心から第一電極部１０１（第二電極部１０２）までの距離を半径とする円上及び円上から所定の距離内に、第二装着状態における第一電極部１０１と第二電極部１０２とが配置されることが望ましい。
【００５５】
図８は第二装着状態での電位差の計測を説明する図であり、図８の（ａ）〜（ｆ）は、第一装着状態での計測結果を説明する図６の（ａ）〜（ｆ）に対応する。図８には、図７に示す第二装着方向での計測を促すメッセージが提示されてから、ユーザが心電位計測装置１１０ａの装着方向を９０度回転し（図８の（ａ））、縦向きで計測するまでの電位差（図８の（ｂ））と加速度（図８の（ｄ）〜（ｆ））が示されている。図８の（ｂ）に示されるように、縦向きにおける電位差はＲ波のピーク時に５０μＶと計測されている。装着方向検知部１０３は、このような第二装着状態における心電位計測装置１１０ａの装着方向を検知する。装着方向検知部１０３は、このような第二装着状態では、図８の（ｃ）に示される３軸方向の加速度を検知する加速度センサとして機能する。図８の（ｄ）〜（ｆ）に示されるように、第二装着状態では、装着方向検知部１０３は、加速度センサとして、Ｘ軸方向に−１Ｇ、Ｙ軸方向に０Ｇ、Ｚ軸方向に０Ｇを示す。このような加速度の検知結果から、第二装着状態では、心電位計測装置１１０ａは重力方向と同じ向きに装着され、その状態で心電位が計測されていると検知される。
【００５６】
＜蓄積部１０５＞
蓄積部１０５は、装着方向検知部１０３で検知された装着方向と、電位差取得部１０４で取得された電位差とを対応づけて蓄積する記憶部である。図９は、蓄積部１０５に蓄積された情報の例を示す図である。ここでは、第一装着状態及び第二装着状態のそれぞれでの、装着方向（ここでは、Ｘ、Ｙ、Ｚ軸方向の加速度）と、当該装着方向における電位差とが示されている。
【００５７】
＜装着方向算出部１０６＞
装着方向算出部１０６は、（１）第一装着状態で第一電極部１０１及び第二電極部１０２がユーザの身体に装着された場合において電位差取得部１０４によって取得される電位差である第一電位差と、（２）第二装着状態で第一電極部１０１及び第二電極部１０２がユーザの身体に装着された場合において電位差取得部１０４によって取得される電位差である第二電位差と、（３）第一装着状態で装着方向検知部１０３によって検知される装着方向である第一装着方向及び第二装着状態で装着方向検知部１０３によって検知される装着方向である第二装着方向、又は、第一装着方向と第二装着方向とがなす角度とに基づいて、第一電位差及び第二電位差のいずれよりも大きな電位差を発生する装着方向である好適装着方向を算出して出力する処理部である。本実施の形態では、装着方向算出部１０６は、蓄積部１０５に蓄積された第一装着方向及び第二装着方向と、第一装着方向及び第二装着方向それぞれにおける電位差（第一電位差及び第二電位差）とから、当該装着位置における最大電位勾配を生じる方向を、好適装着方向として算出する。図１０Ａは、装着方向算出部１０６による最大電位勾配の方向（好適装着方向）の算出例を説明する図である。
【００５８】
図１０Ａに示されるように、身体表面上に表れる電位勾配は、計測する平面の２軸を基底としたベクトルで表すことができる。いま、基底をｅ１、ｅ２とする。第一装着方向及び第二装着方向（例えば第一装着方向と直交する方向で取得したとする）での電位差（ベクトル）のそれぞれを、軸ｅ１及び軸ｅ２の成分に分解し、それぞれの軸での合成後の成分をｘ１、ｘ２とする。本実施の形態では説明の簡素化のため、軸ｅ１は重力方向と直交、軸ｅ２を重力方向と平行（すなわち同じ向き）とすると、第一装着方向及び第二装着方向で得られた２つの電位差のベクトル和であるベクトル（ｘ１、ｘ２）が最大電位勾配の方向となる。また、当該方向での電位差は、以下の式１で現すことができる。
【００５９】
【数１】
0006628074.tif 000002
【００６０】
したがって本例の場合、最大電位勾配の方向は、基底をｅ１、ｅ２とした（８０、５０）の方向、つまり基底ｅ１を基準として右回りの角度をθとすると、ｔａｎθ＝５０／８０であり、約３０度の角度の方向ということになる。
【００６１】
このように、装着方向算出部１０６は、第一電位差と第一装着方向とで特定されるベクトルと、第二電位差と第二装着方向とで特定されるベクトルとから、最大電位勾配を生じる方向を算出し、その方向を好適装着方向として算出する。つまり、装着方向算出部１０６は、第一装着状態における第一電位差及び第一装着方向と、第二装着状態における第二電位差及び第二装着方向とに基づいて、最大電位勾配を生じる方向を、好適装着方向として算出する。なお、第一装着方向及び第二装着方向については、それらに代えて、それらの両方向がなす角度であってもよい。２つのベクトルがなす角度が分かれば、２つのベクトルから最大電位勾配（２つのベクトルの一方を基準とする）が分かるからである。
【００６２】
なお、第一装着方向と第二装着方向とが直交しない場合における好適装着方向の算出例について、図１０Ｂを用いて説明する。図１０Ｂは、第一装着方向と第二装着方向とが直交しない場合における装着方向算出部１０６による最大電位勾配の方向（好適装着方向）の算出例を説明する図である。ベクトルａが当該位置での最大電位勾配であるとする。第一装着方向としてベクトルｂ、第一電位差として｜ｂ｜が検出されたとする。第一電位差｜ｂ｜は、ベクトルａに対し、ベクトルｂ成分（ベクトルｂの方向での成分）として検出されるため、ベクトルａ（つまり、ベクトルａの先端）は、ベクトルｂに対する垂線、すなわち直線Ｂ上に存在することとなる。次に角度θ回転させ、第二装着状態としてベクトルｃ、第一電位差として｜ｃ｜が検出されたとする。同様にベクトルａ（つまり、ベクトルａの先端）は、直線Ｃ上に存在することとなる。したがって下記式２をベクトルａについて解くことで最大電位勾配を算出することができる。
【００６３】
【数２】
0006628074.tif 000003
【００６４】
すなわち一方の基準となるｂと、他方のｃと、θとを用い、最大電位勾配であるベクトルａ＝（｜ｂ｜，−（ｃｏｓθ／ｔａｎθ）（｜ｂ｜−｜ｃ｜ｃｏｓθ）＋｜ｃ｜ｓｉｎθ）が得られることとなる。このようにして、装着方向算出部１０６は、第一電位差と第一装着方向とで特定されるベクトルと、第二電位差と第二装着方向とで特定されるベクトルとから、最大電位勾配を生じる方向を算出し、その方向を好適装着方向として算出する。
【００６５】
なお、本実施の形態ではより分かりやすい説明にするため、心電位計測装置１１０ａの装着方向が水平と鉛直であったがこれに限ったものではない。第一装着方向と第二装着方向の２つの基底が平行でない限り、最大電位勾配の算出は理論上可能である。ただし、実環境下においては、ノイズ又は誤差の影響が大きいので、２つの装着方向については、９０度を最大とし、２つの装着方向がなす角度を９０度に近づけて計測するのが望ましい。
【００６６】
＜送信部１０７＞
送信部１０７は、装着方向算出部１０６で算出された好適装着方向（好適装着方向を示す情報）を通信で端末装置１１１に送信する通信インターフェースである。例えば、送信部１０７は、Ｂｌｕｅｔｏｏｔｈ（登録商標）規格に従って、好適装着方向を示す情報を端末装置１１１に無線で送信する。
【００６７】
なお、本開示に係る心電位計測装置としては、図１に示された心電位計測装置１１０ａが備える構成要素のうち、蓄積部１０５と送信部１０７とは、必須の構成要素ではない。蓄積部１０５がなくても、装着方向算出部１０６は、装着方向検知部１０３から、直接、第一装着方向及び第二装着方向を受け取り、電位差取得部１０４から、直接、第一電位差及び第二電位差を受け取ることで、好適装着方向を算出できる。また、送信部１０７がなくても、装着方向算出部１０６は、算出した好適装着方向を音声出力部などの他の処理部に出力することで、ユーザに好適装着方向を提示することができる。
【００６８】
次に、端末装置１１１の各構成要素について説明する。
【００６９】
＜受信部１０８＞
受信部１０８は、心電位計測装置１１０ａから送信されてくる好適装着方向を受信し、提示部１０９に出力する通信インターフェースである。例えば、受信部１０８は、Ｂｌｕｅｔｏｏｔｈ（登録商標）規格に従って、端末装置１１１から無線で送信されてくる好適装着方向を示す情報を受信して提示部１０９に出力する。
【００７０】
＜提示部１０９＞
提示部１０９は、心電位計測装置１１０ａから受信部１０８を経て受け取った好適装着方向などの各種情報、つまり、装着方向算出部１０６で算出された好適装着方向を含む各種情報をユーザに提示する処理部である。例えば、提示部１０９は、ＬＣＤ等のディスプレイ、スピーカー、及び、プログラムを実行するプロセッサ等で実現される。図１１は、提示部１０９での好適装着方向の提示例を示す図である。ここでは、スマートフォンなど端末装置１１１の画面（提示部１０９）に、「第二電極部を約３０度下に下げて装着して下さい」とのメッセージが表示されている。提示部は、表示部とも表現する。
【００７１】
次に、以上のように構成された本実施の形態における心電位計測システムの動作（心電位計測方法）について説明する。
【００７２】
図１２は、実施の形態１における心電位計測システムの動作を示すフローチャートである。ここで、ステップＳ１０１〜Ｓ１０８は、心電位計測装置１１０ａで実行され、ステップＳ１０９〜Ｓ１１０は、端末装置１１１で実行される。
【００７３】
まず、電位差取得部１０４は、第一電極部１０１及び第二電極部１０２が第一装着状態でユーザに装着された時の第一電極部１０１と第二電極部１０２との間の電位差、つまり、第一電位差を心電位として取得する（Ｓ１０１）。なお、このステップＳ１０１は、第一装着状態で第一電極部１０１及び第二電極部１０２が身体に装着された場合において、電位差取得部１０４によって第一電極部１０１と第二電極部１０２との間の電位差である第一電位差心電位としてを取得する第一ステップに相当する。
【００７４】
続いて、装着方向検知部１０３は、第一装着状態における心電位計測装置１１０ａの装着方向（第一装着方向）、つまり、第一電極部１０１と第二電極部１０２とを結ぶ仮想的な線の方向を検知する（Ｓ１０２）。
【００７５】
そして、ステップＳ１０１で取得された第一電位差と、ステップＳ１０２で検知された第一装着方向とは、それぞれ、電位差取得部１０４と装着方向検知部１０３とにより、蓄積部１０５に蓄積される（Ｓ１０３）。
【００７６】
この段階で、例えば、図６に示すように、腰元であって、心電位計測装置１１０ａが横向き装着されたときの電位差がＲ波のピーク時に８５μＶと計測される。
【００７７】
次に、第二装着状態での計測を行う。つまり、第一装着状態のときと同様にして、電位差取得部１０４は、第二装着状態における第一電極部１０１と第二電極部１０２との間における電位差（心電位）を、第二電位差として取得する（Ｓ１０４）。続いて、装着方向検知部１０３は、第二装着状態における心電位計測装置１１０ａの装着方向、つまり、第二装着方向を検知し（Ｓ１０５）。さらに、第二電位差と第二装着方向とが蓄積部１０５に蓄積される（Ｓ１０６）。なお、上記ステップＳ１０４は、第二装着状態で第一電極部１０１及び第二電極部１０２が身体に装着された場合において、電位差取得部１０４によって第一電極部１０１と第二電極部１０２との間の電位差である第二電位差を心電位として取得する第二ステップに相当する。
【００７８】
この段階では、例えば、図８に示すように、腰元であって、心電位計測装置１１０ａが縦向き装着されたときの電位差がＲ波のピーク時に５０μＶと計測される。
【００７９】
なお、上記ステップＳ１０２とステップＳ１０５とを合わせた手順は、（１）第一装着状態で装着方向検知部１０３によって検知される装着方向である第一装着方向及び第二装着状態で装着方向検知部１０３によって検知される装着方向である第二装着方向、又は、（２）第一装着方向と第二装着方向とがなす角度（本実施の形態では、上記（１））を検知する第三ステップに相当する。
【００８０】
次に、第一装着方向及び第二装着方向と、第一電位差及び第二電位差とを用いて、装着方向算出部１０６は、望ましい装着方向、つまり、第一電位差及び第二電位差のいずれよりも大きな電位差を発生する装着方向である好適装着方向を算出する（Ｓ１０７）。なお、このステップＳ１０７は、上記第一ステップで取得された第一電位差、第二ステップで取得された第二電位差、及び、第三ステップで検知された第一装着方向及び第二装着方向、又は、第一装着方向と第二装着方向とがなす角度に基づいて、好適装着方向を算出して出力する第四ステップに相当する。
【００８１】
なお、上記第一装着状態及び第二装着状態における電位差取得部１０４による電位差の取得と装着方向検知部１０３による装着方向の検知とは、順序が入れ替わってもよいし、同時に行われてもよい。
【００８２】
図１３は、図１２におけるステップＳ１０７（好適装着方向の算出）の詳細な手順を示すフローチャートである。装着方向算出部１０６は、蓄積部１０５に蓄積された第一装着方向と第一電位差とを参照し（Ｓ２０１）、続いて、第二装着方向と第二電位差とを参照する（Ｓ２０２）。ここで、「参照する」とは、蓄積部１０５から「読み出す」ことである。
【００８３】
装着方向算出部１０６は、それぞれの装着方向と電位差とからベクトル演算を行い、最大電位勾配の方向、すなわち、好適装着方向と、その好適装着方向で計測した場合に得られる電位差を算出する（Ｓ２０３）。本実施の形態の場合、各電位差が、重力方向に対し直交（図６）時に８５μＶ、重力方向に対し平行（図８）時に５０μＶであることから、最大電位勾配の方向（つまり、好適装着方向）として、重力方向に直交する方向に対し約３０度と算出される（図１０Ａ）。
【００８４】
得られた好適装着方向（好適装着方向を示す情報）は、送信部１０７から送信され（Ｓ１０８）、受信部１０８において受信され（Ｓ１０９）、提示部１０９によってユーザに提示される（Ｓ１１０）。その結果、図１１に示すようにスマートフォンなどの端末装置１１１の提示部１０９によって、好適装着方向が提示される。
【００８５】
これにより、ユーザは、提示部１０９によって提示された好適装着方向を知ることができる。
【００８６】
近年、小型で簡易に心電などの生体情報を計測できるデバイスが開発されている。これにより、日常的に生活時の心電位の計測が可能となってきている。心電位を計測するためには心臓近辺に心電位計測装置を装着するのが好ましいが、日常的に簡易に、かつより拘束が少ない装着を行うためには、例えば心臓からやや離れた首元又は腰元など、必ずしも心臓近辺ではない箇所への装着が適切な場合もある。しかしながら心臓から離れることにより、電位差が生じにくく、精度よく計測することが困難となる。本実施の形態における心電位計測装置１１０ａは、このような離れた場所であっても、その場所に応じた適切な装着方向を算出することができ、より日常的に簡易に計測し、安心で安全な生活を提供することを可能にする。つまり、心電位計測の専門家ではない一般ユーザであっても、２つの装着状態で第一電極部及び第二電極部を装着して計測することで、より好適な装着方向を知ることができ、一般ユーザが日常生活を営みながら簡易に心電位を計測することが可能になる。
【００８７】
（実施の形態２）
次に、本開示の実施の形態２について説明する。
【００８８】
上記実施の形態１では、好適な装着方向（好適装着方向）の情報提供を行ったが、本実施の形態では、さらに、当該好適な装着方向（好適装着方向）で心電位計測装置が装着されたか否かの判定を行う。
【００８９】
図１４は、本開示の実施の形態２における心電位計測システムの構成を示すブロック図である。この心電位計測システムは、心電位を計測して提示するシステムであり、心電位計測装置１１０ｂと、端末装置１１１とを備える。本実施の形態の心電位計測装置１１０ｂは、実施の形態１における心電位計測装置１１０ａ（図１）の構成要素に加え、装着方向確認部２０１を備える。以下、実施の形態１と同じ構成要素については同じ符号を付して説明を省略し、異なる点を中心に説明する。
【００９０】
装着方向確認部２０１は、電位差取得部１０４で取得される電位差と装着方向算出部１０３で算出された好適装着方向での電位差とを比較し、その比較結果に基づいて、提示部１０９により、好適装着方向に装着し直すことを促すメッセージ（画像）を提示する処理部である。
【００９１】
なお、本実施の形態では、装着方向算出部１０６は、好適装着方向として算出することに加えて、好適装着方向での電位差も算出している。
【００９２】
図１５は、本実施の形態における心電位計測装置１１０ｃが備える装着方向確認部２０１の動作を示すフローチャートである。
【００９３】
装着方向確認部２０１は、電位差取得部１０４で取得される電位差Ｖｍと、既に装着方向算出部１０３で算出されている好適装着方向での電位差（最大電位勾配の電位差）Ｖｍａｘとを比較する（Ｓ３０１）。その結果、取得された電位差Ｖｍが好適装着方向での電位差Ｖｍａｘの所定割合未満である場合には（Ｓ３０２でＹｅｓ）、装着方向確認部２０１は、提示部１０９により、好適装着方向に装着し直すことを促す画像を提示する（Ｓ３０３）。具体的には、装着方向確認部２０１は、装着方向算出部１０３で算出された好適装着方向と、実際の装着方向との差（角度）を算出し、その差（角度）だけ装着方向を修正することをユーザに促すメッセージ（画像）を提示部１０９によって提示する。なお、取得された電位差Ｖｍが好適装着方向での電位差Ｖｍａｘの所定割合未満でない場合には（Ｓ３０２でＮｏ）、装着方向確認部２０１は、現在の装着状態が正しい適切な装着状態であると認識し、メッセージ（画像）の提示をしない。
【００９４】
以下、装着方向算出部１０３の具体的な動作について、図面を用いて説明する。
【００９５】
いま、装着方向算出部１０６が、既に、（１）第一電位差と、（２）第二電位差と、（３）第一装着方向及び第二装着方向、又は、第一装着方向と第二装着方向とがなす角度とに基づいて、最大電位勾配を生じる方向を好適装着方向として算出することに加えて、好適装着方向での電位差も算出しているとする。つまり、装着方向算出部１０６により、第一装着方向と第一電位差、及び、第二装着方向と第二電位差をもとに、好適装着方向と、その好適装着方向での電位差（最大電位勾配の電位差）が算出されているとする。例えば、図１０Ａに示されるように、いま、好適装着方向が（８５、５０）、そのときの電位差（好適装着方向での電位差）が１００μＶとなっている。装着方向算出部１０６は、これらの情報を蓄積部１０５に蓄積しておく。図１６は、蓄積部１０５に蓄積された情報の例を示す図である。ここでは、好適装着方向（８５、５０）を示す情報と、そのときの電位差（好適装着方向での電位差）１００μＶとが蓄積されている。
【００９６】
図１７は、図１１に示すように好適装着方向（本例の場合３０度傾けた方向）が提示部１０９に提示されてから、ユーザが心電位計測装置１１０ｂを３０度だけ回転させて装着するまでに電位差取得部１０４で取得される電位差の時間変化及び装着方向検知部１０３で検知される加速度の時間変化を示す図である。図１７の（ａ）〜（ｅ）は、それぞれ、心電位計測装置１１０ｂの装着状態、電位差取得部１０４で取得される電位差、装着方向検知部１０３で検知されるＸ軸の加速度、Ｙ軸の加速度、Ｚ軸の加速度を示す。
【００９７】
心電位計測装置１１０ｂが回転され（図１７の（ａ））、ある装着方向で装着された後に（図１７の（ｃ）〜（ｅ））、心電位のＲピーク時の電位差が６０μＶと計測されている（図１７の（ｂ））。装着方向確認部２０１は、蓄積部１０５に蓄積された情報を参照し、心電位計測装置１１０ｂが好適装着方向で装着されたならば得られる電位差（好適装着方向での電位差）Ｖｍａｘと、実際に取得される電位差Ｖｍとの比（あるいは、差）をもとに、例えば、電位差Ｖｍが電位差Ｖｍａｘの所定の割合に満たない場合、心電位計測装置１１０ｂの装着方向がずれていると判定し、その旨を、通信及び提示部１０９を介して、ユーザに提示する。例えば、取得された電位差Ｖｍが、好適装着方向での電位差Ｖｍａｘの８０％に満たない場合に、その旨を提示する。本例の場合、３０度傾けて計測すると１００μＶ得られるはずが、６０μＶしか得られておらず、取得された電位差が８０μＶ（＝１００μＶ×０．８）未満であるため、装着方向確認部２０１は、提示部１０９により、その旨（取得された電位差が好適装着方向での電位差の所定割合に満たないこと）をユーザに提示する。
【００９８】
図１８は、取得された電位差が好適装着方向での電位差の所定割合に満たない場合における装着方向確認部２０１による提示の一例を示す図である。ここでは、スマートフォンなどの端末装置１１１の提示部１０９に、「装着方向は正しいですか？第二電極部を約３０度下に傾けて装着してください」とのメッセージが表示されている。
【００９９】
心電位でもっとも大きいＲ波の電位勾配は、身体の特性上右側から左側に傾いており、またユーザによってその方向も異なるのが一般的である。さらに身体表面上に生じる電位勾配もさまざまな要因によって変化し、一律ではない。したがって所定の位置における電位勾配の方向を算出し、さらにユーザごと、及び位置ごとに異なる方向に心電位計測装置１１０ｂを装着するのは困難を要する場合もある。本実施の形態に示すように、算出された好適装着方向及びそのときの電位差と、実際の電位差とをもとに装着方向の差（ずれ角度）を示すことで、より簡易に、かつ、適切に心電位を計測することが可能となる。
【０１００】
なお、本実施の形態では、心電位計測装置１１０ｂは、装着方向検知部１０３を有しており、装着方向検知部１０３で得られる情報を用いて、現実の装着方向が好適装着方向に近いか否かを判断してもよい。例えば、図１７に示されるように、好適装着方向が示されてから心電位計測装置１１０ｂが装着されるまでの加速度及び角速度を装着方向検知部１０３で検知し、検知した加速度及び角速度を積分することで距離及び回転を算出することができ、実際に装着された際の装着方向が算出できる。例えば第二装着状態から、好適装着方向に向けた再度の装着がされるまでの心電位計測装置１１０ｂの加速度及び角速度を装着方向検知部１０３で検知し、蓄積部１０５へと蓄積し、蓄積されたこれらの情報から、再度の装着における装着方向を算出することができる。このとき、再度の装着方向が正しい（好適装着方向に一致している）場合であっても、電極（第一電極部１０１及び第二電極部１０２）の装着具合によっては電位差が得られない場合もある。そこで、再度の装着における装着方向が好適装着方向に近い場合（例えば好適装着方向を基準とした前後１０度の角度未満の方向）であっても、取得された電位差が、好適装着方向で得られるはずの電位差の所定の割合（例えば８０％）に満たない場合は、装着具合に関する情報を提示することとしてもよい。図１９は、このようなケース（装着方向が好適装着方向に近いが、取得された電位差が好適装着方向での電位差の所定割合に満たないケース）における提示の一例を示す図である。スマートフォンなどの端末装置１１１の提示部１０９に「装着方向は適切ですが、心電位が取得できません。肌にぴったりと装着していますか？」とのメッセージが表示され、装着具合に不具合がある旨が提示されている。
【０１０１】
以上のように、本実施の形態によれば、計測される電位差と既知の好適装着方向での電位差との差が大きいなどの場合に、提示部１０９を介して好適装着方向に装着し直すことが促されるので、不適切な装着方向によって精度の低い心電位計測が行われてしまうことが回避される。
【０１０２】
つまり、本実施の形態に示すような、日常、簡易に計測する小型の心電位計測装置の場合、医師などが病院で使用する心電計とは異なり、電極の装着は必ずしもしっかりなされるとは限らない。また、ＡＣＴＩＶＥ型電極などは、ペーストレスで使用することも考えられ、電極の装着の具合によって、得られる心電位が大きく異なる場合もある。本実施の形態に示すように、好適装着方向とそのときの電位差（好適装着方向での電位差）を算出しておき、実際に取得された電位差と好適装着方向での電位差との比較をもとに装着具合に関する情報をユーザに示すことで、ユーザは、より正確に心電位計測装置１１０ｂを装着することができ、簡易に、かつ、適切に心電位を計測することが可能となる。
【０１０３】
（実施の形態３）
次に、本開示の実施の形態３について説明する。
【０１０４】
本実施の形態では、上記実施の形態１又は２における第一装着状態での心電位計測装置の装着位置に対し、第二装着状態での心電位計測装置の装着位置が、適切か否かの判定を行う。
【０１０５】
図２０は、本開示の実施の形態３における心電位計測システムの構成を示すブロック図である。この心電位計測システムは、心電位を計測して提示するシステムであり、心電位計測装置１１０ｃと、端末装置１１１とを備える。心電位計測装置１１０ｃは、実施の形態１における心電位計測装置１１０ａ（図１）の構成要素に加え、装着位置確認部２０２を備える。以下、実施の形態１と同じ構成要素については同じ符号を付して説明を省略し、異なる点を中心に説明する。
【０１０６】
装着位置確認部２０２は、第一装着状態における第一電極部１０１の位置と第二装着状態における第一電極部１０１の位置とが予め定められた範囲内であるか否かを判定する処理部である。例えば、装着位置確認部２０２は、第一装着状態における第一電極部１０１と第二電極部１０２との中心から第一電極部１０１（第二電極部１０２）までの距離を半径とする円上から、第二装着状態における第一電極部１０１と第二電極部１０２の位置との距離が予め定められた範囲内であるか否かを判定する。
【０１０７】
図２１は、本実施の形態における心電位計測装置１１０ｃが備える装着位置確認部２０２の動作を示すフローチャートである。なお、本実施の形態では、装着位置確認部２０２による判定を可能にするために、装着方向検知部１０３は、第二装着状態が提示されてから、心電位計測装置１１０ｃが装着されるまで間（言い換えると、第一装着状態から第二装着状態までの）の心電位計測装置１１０ｃの加速度及び角速度を検知し、蓄積部１０５へと蓄積している。
【０１０８】
まず、装着位置確認部２０２は、蓄積部１０５に蓄積された加速度及び角速度を積分等することにより、回転及び移動の軌跡を算出し、回転の基準（中心）となる電極（本例の場合、第一電極部１０１）の位置を算出する（Ｓ４０１）。そして、装着位置確認部２０２は、第二装着状態での第一電極部１０１の位置（第二電極位置）が、第一装着状態での電極位置（第一電極位置）に対し、所定の範囲内にあるか否かを判定する（Ｓ４０２）。その結果、所定の範囲内（例えば周囲２ｃｍ以内など）にあると判定した場合（Ｓ４０２でＹｅｓ）、装着位置確認部２０２は、その旨を装着方向算出部１０６に通知し、その通知を受けた装着方向算出部１０６は、好適装着方向を算出する（Ｓ４０３）。つまり、装着方向算出部１０６は、装着位置確認部２０２によって第一装着状態における第一電極部の位置と第二装着状態における第一電極部の位置とが予め定められた範囲内であると判定された場合に、好適装着方向を算出して出力する。一方、第二電極位置が第一電極位置に対して所定範囲外であると判定した場合（Ｓ４０２でＮｏ）、装着位置確認部２０２は、提示部１０９を介してその旨（第二電極位置が第一電極位置に対して所定範囲外であること、つまり、第一電極部１０１の位置がずれていること）をユーザに提示し、再度の計測を促す（Ｓ４０４）。
【０１０９】
図２２は、本実施の形態における心電位計測装置１１０ｃが備える装着位置確認部２０２による具体的な処理を説明する図である。なお、図２２の（ａ）〜（ｆ）は、それぞれ、心電位計測装置１１０ｃの装着状態（第一装着状態及び第二装着状態）、第一装着状態と第二装着状態との関係、電位差取得部１０４で取得される電位差、装着方向検知部１０３で検知されるＸ軸の加速度、Ｙ軸の加速度、Ｚ軸の加速度を示す。
【０１１０】
第二装着状態が提示されてから、心電位計測装置１１０ｃが新たな装着位置に装着されるまで間（図２２の（ａ）及び（ｂ））の加速度及び角速度が装着方向検知部１０３で検知され（図２２の（ｄ）〜（ｆ））、蓄積部１０５へと蓄積される。つまり、第一装着状態での計測（電位差の取得、装着方向の検知）を終え、第二装着状態が提示されたことにより、ユーザが心電位計測装置１１０ｃを回転させ、第二装着状態での計測を行おうとしており（図２２の（ａ）及び（ｂ））、この間のデータ（図２２の（ｃ）〜（ｆ））が蓄積されていることとなる。装着位置確認部２０２は、蓄積された加速度及び角速度（図２２の（ｄ）〜（ｆ））を積分等することにより、回転及び移動の軌跡を算出し、回転の基準となる電極（本例の場合、第一電極部１０１）の位置を算出する。図２２に示される例では、第二装着状態における第一電極部１０１が第一装着状態での電極位置（第一電極位置）に対し、所定の範囲内に位置するため（ここでは、ずれていないため）、上記で説明したように、その旨が装着位置確認部２０２から装着方向算出部１０６に通知され、装着方向算出部１０６が好適装着方向を算出する。
【０１１１】
図２３は、第一電極部１０１の第一装着状態での位置と第二装着状態での位置とが所定範囲外となる例を説明する図である。図２３の（ａ）〜（ｆ）は、図２２の（ａ）〜（ｆ）に対応する。図２３に示される例では、第一装着状態での第一電極部１０１の位置（第一電極位置）に対し、第二装着状態での第一電極部１０１の位置（第二電極位置）が大きくずれていることが、移動及び回転の軌跡から算出される。そこで装着位置確認部２０２は、通信（送信部１０７及び受信部１０８）、及び、提示部１０９を介して、その旨をユーザに提示する。図２４は、このようなケース（第一電極位置と第二電極位置とが大きくずれているケース）における提示例を示す図である。スマートフォンなどの端末装置１１１の提示部１０９に「第一電極部の位置がずれています。もう一度位置を確認し、計測して下さい」とのメッセージが表示されている。
【０１１２】
以上のように、本実施の形態によれば、基準電極となる第一電極部１０１の位置が第一装着状態と第二装着状態とで大きくずれていない場合にだけ、好適装着方向が算出されるので、精度の低い好適装着方向が算出されて提示されるという不具合が回避される。
【０１１３】
なお、図３等で示すように電位勾配は、身体の位置に応じて異なる。したがって電極の装着位置が大きくずれると勾配も変化し、正確な勾配を算出することができない。一方、複数回の計測が必要となる本開示の心電位計測装置では、必ずしも同じ基準点での計測ができない場合もある。例えばパッチ型の心電位計測装置などでは、第一装着状態から第二装着状態に変更する際、つまり、一旦、心電位計測装置を身体から取りはずす必要がある場合、基準となる位置（第一電極部１０１の装着位置）がずれる場合もある。また、身体の位置によって異なるとはいっても、所定の誤差程度であれば、電位勾配及び最大電位勾配はほぼ同じであり、算出が可能である。そこで上記に示すように、所定の範囲を設け、算出された回転及び軌跡をもとに、第一装着状態と第二装着状態とで、第一電極部１０１の装着位置が所定範囲内か否かに応じて好適装着方向の算出を制御するのが好ましい。
【０１１４】
なお、加速度及びジャイロ等を用いた場合には、これらのセンサの初期位置を基点としてそこからの相対位置及び相対角度を算出することとなる。一方、本実施の形態での位置ずれ量の算出は、一方の電極（第一電極部１０１）を基準とした回転系でのずれを算出する必要がある。そこで、本実施の形態では、第一電極部１０１が、加速度センサ（装着方向検知部１０３）が実装された基板上の位置の近傍に設けられているのが好ましい。これにより、第一電極部１０１の移動量及び回転量の推定がより正確になる。ただし、第一電極部１０１の移動量及び回転量の計測方法は、これに限ったものではない。第一電極部１０１と、加速度センサ（装着方向検知部１０３）とが、比較的離れた位置に設置される場合もある。この場合に、加速度及びジャイロを用いて、これらのセンサの初期位置を基点としてそこからの相対位置及び相対角度を算出したのでは、第一電極部１０１自身は、それらのセンサからずれた位置に設けられているために、正確な移動量及び回転量を算出できない。そこで、例えば第一電極部１０１と、加速度センサ（装着方向検知部１０３）との位置関係をあらかじめ蓄積しておき、この位置関係を考慮したうえで、第一電極部１０１の位置がずれているか否かを判断することとしてもよい。
【０１１５】
なお、上記実施の形態１〜３における心電位計測システムでは、送信部１０７及び受信部１０８を設け、提示する端末装置１１１と心電位計測装置１１０ａ〜１１０ｃとの通信によって、端末装置１１１の提示部１０９によって好適装着方向などを提示したが、これに限ったものではない。心電位計測装置に提示部１０９を設けてもよい。
【０１１６】
図２５は、提示部１０９を備える心電位計測装置１１０ｄの構成を示すブロック図である。この心電位計測装置１１０ｄは、第一電極部１０１と、第二電極部１０２と、装着方向検知部１０３と、電位差取得部１０４と、蓄積部１０５と、装着方向算出部１０６と、提示部１０９とを備える。この心電位計測装置１１０ｄは、実施の形態１の心電位計測装置１１０ａと異なり、装着方向算出部１０６で算出された好適装着方向などの各種情報を、自ら備える提示部１０９によって提示する。なお、提示部１０９が心電位計測装置に備えられてもよいことは、実施の形態１だけでなく、実施の形態２及び３にも適用できる。
【０１１７】
また、本開示に係る心電位計測装置の物理的な構造については、様々な形態で実現できる。以下、本開示に係る心電位計測装置の各種構造について、説明する。
【０１１８】
図２６Ａ〜図２６Ｃは、図２５に示された、提示部を備える心電位計測装置１１０ｄの具体的な構造例を示す図である。図２６Ａは、提示部１０９を備える心電位計測装置１１０ｄの外観（構造）の一例を示す図である。この心電位計測装置１１０ｄは、第一電極部１０１及び第二電極部１０２の少なくとも一方を保持する板体１２０と、ユーザの身体又はユーザの身体を包む衣服に係止される係止片１２１と、板体１２０と係止片１２１とを一定の距離だけ離した状態で保持し、かつ、板体１２０を板体１２０の面内で回動可能に保持する支柱１２２とを備える。本実施の形態では、板体１２０には、板体１２０を平面視したときに第一電極部１０１と第二電極部１０２とが、一定の距離だけ離れるように、第一電極部１０１及び第二電極部１０２が保持されている。図２６Ｂは、図２の（ａ）と同様であるが、心電位計測装置１１０ｄを具現化した回路モジュールの一例を示す図である。ここでは、第一電極部１０１及び第二電極部１０２とリード線で繋がれた処理基板１１２上には、心電位計測装置１１０ｄの各構成要素が実装されている。図２６Ｃは、心電位計測装置１１０ｄの使用例を示す図である。心電位計測装置１１０ｄは、板体１２０と、係止片１２１と、それらを回動可能に保持する支柱１２２とを備えることにより、第一電極部１０１を中心に第二電極部１０２が回転する機構を有している。また、電極（第一電極部１０１及び第二電極部１０２）の反対側に提示部１０９が備わっている。
【０１１９】
図２７は、図２６Ａに示された、提示部を備える心電位計測装置１１０ｄの装着の一例を示す図である。例えばシャツ又は下着をはさむ形態で心電位計測装置１１０ｄを、胸元（図２７の（ａ））、首元（図２７の（ｂ））、又は、腰（図２７の（ｃ））などに、装着できる。提示部１０９が表側（ユーザの身体の外方に向く側）に配置され、裏側（ユーザの身体と接触する側）に配置された第一電極部１０１及び第二電極部１０２がユーザの肌に接触し、これにより、心電位の計測が可能になる。ユーザは、例えばこの提示部１０９の情報を確認しながら、第一装着状態と第二装着状態での計測をすることが可能となる。また、上述した回転機構により、第一装着状態と第二装着状態とで、基準となる第一電極部１０１が大きくずれることを防ぎ、より精度よく好適装着方向を算出することが可能となる。
【０１２０】
なお、図２８Ａの外観（構造）図に示すように、心電位計測装置に提示部を設けていない上記実施の形態１〜３の心電位計測装置１１０ａ〜１１０ｃの具体的な実現例として、クリップ型の心電位計測装置１１０ｅとして実現し、これによって、回転機構を有する心電位計測装置１１０ｅを実現してもよい。図２８Ｂは、クリップ型の心電位計測装置１１０ｅの使用例を示す図である。装着の仕方は、図２７に示される装着例と同様、例えばシャツ又は下着をはさむ形で心電位計測装置１１０ｅを装着する。裏側に配置された第一電極部１０１及び第二電極部１０２がユーザの肌に接触し、これにより、心電位の計測が可能なる。また、心電位計測装置１１０ｅは回転機構を有するため、図２６Ａに示された心電位計測装置１１０ｄと同様、第一装着状態と第二装着状態とで、基準となる第一電極部１０１が大きくずれることを防ぎ、より精度よく好適装着方向を算出することが可能となる。
【０１２１】
なお、図２９の外観（構造）図に示すように、本開示に係る心電位計測装置として、第一電極部１０１をクリップ型とし、第二電極部１０２をパッチ型とし、上述した回転機構を有する心電位計測装置１１０ｆとして実現してもよい。パッチ型の第二電極部１０２は、身体に貼り付け可能なパッド上に電極が形成された構造を有する。このような構造の心電位計測装置１１０ｆにより、基準となる第一電極部１０１を、クリップ（板体１２０、係止片１２１及び支柱１２２）で被服と挟むことで固定し、第二電極部１０２を回転させながら装着することで、装着方向を調整することが可能となる。
【０１２２】
さらに、電極間（第一電極部１０１と第二電極部１０２との間）の長さについては、図２９の（ａ）に示されるように、固定であってもよいし、図２９の（ｂ）に示されるように、調整できてもよい。第一電極部１０１と第二電極部１０２とは、図２９の（ａ）に示される形態では、例えば、樹脂製バンドなどで接続され、図２９の（ｂ）に示される形態では、例えば、伸縮自在な布製バンドなどで接続される。心電位の計測は、電位差を計測するものであるため、位置によっては電極間が長いほど、大きな電位差が生じ、ノイズに対してロバストになることがある。そこで、図２９の（ｂ）に示すように、電極間の長さを調整する機構を有することでより日常のノイズ環境下に対応した計測が可能となる。なお、好適装着方向の算出については、第一装着状態と第二装着状態での計測時に、電極間の長さは同一であることが望ましい。一方、電極間の長さを検出するセンサなどを設けることで、電極間の長さが異なる場合であっても好適装着方向の算出は可能である。上述したベクトル加算の際、電極間の長さを考慮して加算することで好適装着方向を算出することが可能だからである。
【０１２３】
また、第一電極部１０１と第二電極部１０２との間の長さを調整する機構は、必ずしもクリップ型に限ったものではなく、ともにパッチ型とすることとしてもよい。図３０は、第一電極部１０１及び第二電極部１０２がパッチ型で構成された心電位計測装置１１０ｇの外観（構造）図である。電極間の長さについては、図３０の（ａ）に示される形態では、固定であり、図３０の（ｂ）に示される形態では、調整可能である。図３０の（ｂ）に示される形態では、計測の箇所によって長さを調整することで、より大きな電位差を計測することが可能となる。
【０１２４】
また、本開示に係る心電位計測装置として、図３１の外観（構造）図に示されるように、板体１２０に３個の電極（第一電極部１０１、第二電極部１０２及び第三電極部１２３）が設けられた心電位計測装置１１０ｈとして実現してもよい。図３１の（ａ）は、３つの電極を備えるクリップ型の心電位計測装置１１０ｈを、板体１２０のほうから見た外観（構造）図であり、図３１の（ｂ）は、心電位計測装置１１０ｈを、係止片１２１のほうから見た外観（構造）図である。
【０１２５】
図３１の（ａ）に示されるように、この心電位計測装置１１０ｈでは、板体１２０には、ユーザの身体に装着される第一電極部１０１、第二電極部１０２及び第三電極部１２３が設けられている。そして、第一電極部１０１、第二電極部１０２及び第三電極部１２３は、第一電極部１０１と第二電極部１０２とを結ぶ仮想的な線の方向と第一電極部１０１と第三電極部１２３とを結ぶ仮想的な線の方向とが直交するように、板体１２０に保持されている。ここで、直交とは、９０度の角度で交差するケースだけでなく、略９０度（例えば、８０〜１００度）の角度で交差するケースが含まれてもよい。このような構造により、第一電極部１０１と第二電極部１０２との対について、それらの間の電位差が第一電位差として電位差取得部１０４で取得され、それらを結ぶ仮想的な線の方向が第一装着方向として装着方向検知部１０３で検知される。同時に、第一電極部１０１と第三電極部１２３との対について、それらの間の電位差が第二電位差として電位差取得部１０４で取得され、それらを結ぶ仮想的な線の方向が第二装着方向として装着方向検知部１０３で検知される。
【０１２６】
また、図３１の（ｂ）に示されるように、この心電位計測装置１１０ｈでは、係止片１２１に提示部１０９が設けられ、この提示部１０９によって各種情報が提示されてもよい。例えば、図３１の（ｂ）に示されるように、装着方向算出部１０６で算出された好適装着方向に基づいて、より好適な装着方向が提示部１０９によって提示されてもよい。
【０１２７】
以上、本開示に係る心電位計測装置及び心電位計測方法について、実施の形態１〜３、変形例及び構造例に基づいて説明したが、本発明は、これらの実施の形態、変形例及び構造例に限定されない。本発明の趣旨を逸脱しない限り、当業者が思いつく各種変形を本実施の形態などに施したもの、又は、異なる実施の形態などにおける構成要素を組み合わせて構築される別の形態も、本発明の一つまたは複数の態様の範囲内に含まれてもよい。
【０１２８】
例えば、上記実施の形態１〜３における心電位計測装置１１０ａ〜１１０ｃの全ての特徴（装着方向算出部１０６、装着方向確認部２０１及び装着位置確認部２０２）を備える心電位計測装置も本発明に含まれる。
【０１２９】
また、図２６〜図３１に示される心電位計測装置の構造は、上記実施の形態における心電位計測装置１１０ａ〜１１０ｄのいずれに適用してもよい。
【０１３０】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の心電位計測装置などを実現するソフトウェアは、次のようなプログラムである。
【０１３１】
すなわち、このプログラムは、コンピュータに、次の第一ステップ〜第四ステップを実行させる。第一ステップでは、第一装着状態で身体に装着される第一電極部１０１及び第二電極部１０２を用いて、電位差取得部１０４によって第一電極部１０１と第二電極部１０２との間の第一電位差を心電位として取得する。
【０１３２】
第二ステップでは、第二装着状態で身体に装着される第一電極部１０１及び第二電極部１０２を用いて、電位差取得部１０４によって第一電極部１０１と第二電極部１０２との間の第二電位差を心電位として取得する。
【０１３３】
第三ステップでは、身体に装着された第一電極部１０１と第二電極部１０２とを結ぶ仮想的な線の方向を装着方向としたときに、第一装着状態で装着方向検知部１０３によって検知される第一装着方向及び第二装着状態で装着方向検知部１０３によって検知される第二装着方向、又は、第一装着方向と第二装着方向とがなす角度を検知する。
【０１３４】
第四ステップでは、第一ステップで取得された第一電位差、第二ステップで取得された第二電位差、及び、第三ステップで検知された第一装着方向及び第二装着方向、又は、角度に基づいて、第一電位差及び第二電位差のいずれよりも大きな電位差を発生する好適装着方向を算出して出力する。
【０１３５】
また、本発明は、上記コンピュータプログラム又は上記デジタル信号を、電気通信回線、無線又は有線通信回線、インターネットを代表とするネットワーク等を経由して伝送するものとして実現してもよい。
【０１３６】
また、本開示は、マイクロプロセッサとメモリを備えたコンピュータシステムであって、上記メモリは、上記コンピュータプログラムを記憶しており、上記マイクロプロセッサは、上記コンピュータプログラムに従って動作してもよい。
【０１３７】
また、本開示は、上記プログラム又は上記デジタル信号を上記記録媒体に記録して移送することにより、又は上記プログラム又は上記デジタル信号を、上記ネットワーク等を経由して移送することにより、独立した他のコンピュータシステムにより実施してもよい。
【０１３８】
さらに、上記実施の形態及び上記変形例をそれぞれ組み合わせてもよい。
【０１３９】
本開示において、ユニット、デバイスの全部又は一部、又は図１、図１４、および図２０に示されるブロック図の機能ブロックの全部又は一部は、半導体装置、半導体集積回路（ＩＣ）、又はＬＳＩ（large scale integration）を含む一つ又は一つ以上の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ(very large scale integration)、若しくはＵＬＳＩ(ultra large scale integration) と呼ばれるかもしれない。 ＬＳＩの製造後にプログラムされる、Field Programmable Gate Array (FPGA)、又はＬＳＩ内部の接合関係の再構成又はＬＳＩ内部の回路区画のセットアップができるreconfigurable logic deviceも同じ目的で使うことができる。
【０１４０】
さらに、ユニット、装置、又は装置の一部の、全部又は一部の機能又は操作は、ソフトウエア処理によって実行することが可能である。この場合、ソフトウエアは一つ又は一つ以上のＲＯＭ、光学ディスク、ハードディスクドライブ、などの非一時的記録媒体に記録され、ソフトウエアが、処理装置（processor）によって実行された場合に、ソフトウエアは、ソフトウエア内の特定の機能を、処理装置（processor）と周辺のデバイスに実行させる。システム又は装置は、ソフトウエアが記録されている一つ又は一つ以上の非一時的記録媒体、処理装置（processor）、及び必要とされるハードウエアデバイス、例えばインターフェース、を備えていても良い。
【０１４１】
今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【産業上の利用可能性】
【０１４２】
本発明は、心電位計測装置又は心電位計測システムとして、特に、心電位計測の専門家ではない一般ユーザが日常生活を営みながら簡易に心電位を計測できる心電位計測装置等として、利用可能である。
【符号の説明】
【０１４３】
１０１  第一電極部
１０２  第二電極部
１０３  装着方向検知部
１０４  電位差取得部
１０５  蓄積部
１０６  装着方向算出部
１０７  送信部
１０８  受信部
１０９  提示部
１１０ａ〜１１０ｈ  心電位計測装置
１１１  端末装置
１１２  処理基板
１２０  板体
１２１  係止片
１２２  支柱
１２３  第三電極部
２０１  装着方向確認部
２０２  装着位置確認部
【図１】
0006628074.tif 000004
【図２】
0006628074.tif 000005
【図３】
0006628074.tif 000006
【図４】
0006628074.tif 000007
【図５】
0006628074.tif 000008
【図６】
0006628074.tif 000009
【図７】
0006628074.tif 000010
【図８】
0006628074.tif 000011
【図９】
0006628074.tif 000012
【図１０Ａ】
0006628074.tif 000013
【図１０Ｂ】
0006628074.tif 000014
【図１１】
0006628074.tif 000015
【図１２】
0006628074.tif 000016
【図１３】
0006628074.tif 000017
【図１４】
0006628074.tif 000018
【図１５】
0006628074.tif 000019
【図１６】
0006628074.tif 000020
【図１７】
0006628074.tif 000021
【図１８】
0006628074.tif 000022
【図１９】
0006628074.tif 000023
【図２０】
0006628074.tif 000024
【図２１】
0006628074.tif 000025
【図２２】
0006628074.tif 000026
【図２３】
0006628074.tif 000027
【図２４】
0006628074.tif 000028
【図２５】
0006628074.tif 000029
【図２６Ａ】
0006628074.tif 000030
【図２６Ｂ】
0006628074.tif 000031
【図２６Ｃ】
0006628074.tif 000032
【図２７】
0006628074.tif 000033
【図２８Ａ】
0006628074.tif 000034
【図２８Ｂ】
0006628074.tif 000035
【図２９】
0006628074.tif 000036
【図３０】
0006628074.tif 000037
【図３１】
0006628074.tif 000038